(57)【特許請求の範囲】
【請求項１】
略円盤状のパネル部の外周に外周溝が設けられていると共に、該外周溝の外周壁からチャックウォールを介してフランジ部が設けられており、かつ前記パネル部につなぎ部が残る様に両端が隔置されている開放形状のスコア線によって区画した開口片が形成され、該パネル部の略中央部で該開口片の外側の箇所にリベット止めされると共に押し下げ端を開口片の上面側に位置させかつ持上げ端をリベット止め部を中心に開口片とは反対側に位置させたつまみ片が設けられたイージーオープン缶蓋において、
前記開口片の先端部と前記パネル部との中心を結ぶ第一の直線と、前記パネル部の中心を通りかつ前記第一の直線に直交する第二の直線とによって区分される四つの扇状部分のうち、前記開口片が存在する側とは前記パネル部の中心を挟んで反対側に位置する二つの扇状部分に亘って、前記外周溝の近傍に指掛け用凹部が形成されており、前記パネル部の径方向における、前記外周溝の内周壁の上端と該パネル部との連結部から前記指掛け用凹部の外縁までの長さが０．９ｍｍ以上２．５ｍｍ以下であり、前記開口片が存在する側の二つの扇状部分のうちの少なくとも一方における前記外周溝もしくはその近傍に変形容易部が形成されており、さらに該変形容易部が、前記第二の直線から前記パネル部の中心において２５°未満の範囲に形成されているとともに、前記パネル部の周方向における前記指掛け用凹部の端部と前記パネル部の中心とを結ぶ直線と、該指掛け用凹部の端部に近い側の前記変形容易部と前記パネル部の中心とを結ぶ直線とのなす角度が略９０°となることを特徴とするイージーオープン缶蓋。
【請求項２】
前記変形容易部がエンボス加工によって形成され、缶蓋外面側に突出する凸部であることを特徴とする請求項１に記載のイージーオープン缶蓋。
【発明の詳細な説明】
【０００１】
【発明の属する技術分野】
この発明は、開口片を区画しているスコア線を、つまみ片を引き起すことにより破断し、開口片を缶内部に吊り下げ状態にして開缶（開蓋）する形式のイージーオープン缶の缶蓋に関するものである。
【０００２】
【従来の技術】
コーラやサイダー、ビール等に代表される炭酸含有飲料が封入された陽圧缶体（缶体内部の圧力が大気圧より大きい缶体）が炎天下の車内に放置される場合のように、缶体が直射日光下や高温雰囲気下に置かれると、飲料中に溶解している二酸化炭素が飲料から放出されるために、缶体の内圧が上昇する。そして、缶体の内圧が上昇することによって、缶蓋が缶体の外方に突出しようとする。いわゆるバックリング現象が発生する。
【０００３】
なお、飲料用のイージーオープン缶蓋には、開口片に固着されているタブを缶体上方に引き起こした後、上方に引っ張ることによって開蓋するプルタブ式の缶蓋と、タブを引き起こす操作だけにより、開口片を缶体内方に押し込むことによって開蓋するステイオンタブ式の缶蓋が使用されている。そして、プルタブ式の缶蓋では、開蓋後の開口片が缶体とは別体となるため、開口片の散乱等による環境への影響が憂慮される。そのため、最近では、ステイオンタブ式の缶蓋が多く使用されるようになってきている。このステイオンタブ式の缶蓋はプルタブ式の缶蓋とは異なり、同一のタブにより二つのテコ作用を利用して、開口片を区画しているスコア線を破断するので、両方のテコ作用共に支点と作用点間の距離をあまり短くできない。従って、ステイオンタブ式の缶蓋を開蓋するためには、プルタブ式の缶蓋を開蓋するよりも、より大きな力が必要となる。これに対処するために、ステイオンタブ式の缶蓋の開口片を区画するために刻設されるスコア線の深さが、プルタブ式の缶蓋のそれよりも深くなっている。なお、開蓋するためのタブ（つまみ片）から離れた缶蓋の外周溝近傍に位置するスコア線には、はたらく力が他の位置よりも小さいので、スコア線が他の位置よりも深く刻設されている。その結果、より大きな力を必要とせずにステイオンタブ式の缶蓋を開蓋することができる。
【０００４】
しかし、ステイオンタブ式の缶蓋のスコア線が深く刻設されていることによって、陽圧缶体の内部圧力の上昇に伴って、缶蓋がバックリングする際に、外周溝近傍に位置するスコア線の近傍でバックリングが発生すると、スコア線の深さが深いために、スコア線が破断して缶体の内容物が噴き出す可能性があった。
【０００５】
これを防ぐために、予め缶蓋の一部に加工等を施すことによって強度の低下した部分を設けることが従来知られている。この缶蓋が用いられた缶体では、缶体内部の圧力が上昇すると、その強度の低下した部分が缶体の外方に突出する。その結果、缶体の内容積が増大し、缶体内部の圧力（缶内圧）が低下する。これにより、缶蓋のスコア線が破断することを防ぎ、缶体の内容物が噴き出すことを防ぐことができる。
【０００６】
その例として、例えば特開平５−１１２３５７号公報に記載されている発明が知られている。ここに記載されている発明を説明すると、缶蓋を、天板の中心と開口片先端とを結ぶ直線（Ｙ軸）と、その直線に対して天板中心で直交する直線（Ｘ軸）とで扇状に区分けする。そして、開口片が存在する側とは反対側に位置する二つの扇状の部分に、周縁溝外壁の天板とほぼ同じ高さの位置から天板の中心に向かって１２ｍｍの巾の周縁溝に沿った同心円環状部分であり、かつＹ軸から２５°以上６５°以下である部分に座屈部を配設したものである。
【０００７】
【発明が解決しようとする課題】
最近では、容器の軽量化や製造コストの低減化が図られることによって、缶蓋が形成される金属板の厚さが薄くなる傾向にある。そのため、薄厚の缶蓋が用いられた缶体に炭酸含有飲料等が充填され、その缶体が直射日光下や高温雰囲気下に置かれると、缶蓋がバックリングする際に、外周溝を形成している缶蓋の部分に亀裂が発生することがある。その結果、スコア線が破断しなくとも、その亀裂から内容物が噴き出る可能性があった。また、炭酸を含有していない茶、コーヒー等の飲料を缶体に充填し、密閉する直前に缶体内に液体窒素を添加して、密封後の缶内圧を高くする場合にも薄肉の缶体を使用することが行われている。そして、この様な缶詰の場合にも、缶蓋がバックリングする恐れがあった。
【０００８】
この発明は上記の事情を背景としてなされたものであり、バックリングによって、スコア線が破断したり、缶蓋に亀裂が発生することによって内容物が噴き出すことを防止することができるイージーオープン缶蓋を提供することを目的とするものである。
【０００９】
【課題を解決するための手段およびその作用】
上記の目的を達成するために、請求項１の発明は、略円盤状のパネル部の外周に外周溝が設けられていると共に、該外周溝の外周壁からチャックウォールを介してフランジ部が設けられており、かつ前記パネル部につなぎ部が残る様に両端が隔置されている開放形状のスコア線によって区画した開口片が形成され、該パネル部の略中央部で該開口片の外側の箇所にリベット止めされると共に押し下げ端を開口片の上面側に位置させかつ持上げ端をリベット止め部を中心に開口片とは反対側に位置させたつまみ片が設けられたイージーオープン缶蓋において、前記開口片の先端部と前記パネル部との中心を結ぶ第一の直線と、前記パネル部の中心を通りかつ前記第一の直線に直交する第二の直線とによって区分される四つの扇状部分のうち、前記開口片が存在する側とは前記パネル部の中心を挟んで反対側に位置する二つの扇状部分に亘って、前記外周溝の近傍に指掛け用凹部が形成されており、前記パネル部の径方向における、前記外周溝の内周壁の上端と該パネル部との連結部から前記指掛け用凹部の外縁までの長さが０．９ｍｍ以上２．５ｍｍ以下であり、前記開口片が存在する側の二つの扇状部分のうちの少なくとも一方における前記外周溝もしくはその近傍に変形容易部が形成されており、さらに該変形容易部が、前記第二の直線から前記パネル部の中心において２５°未満の範囲に形成されているとともに、前記パネル部の周方向における前記指掛け用凹部の端部と前記パネル部の中心とを結ぶ直線と、該指掛け用凹部の端部に近い側の前記変形容易部と前記パネル部の中心とを結ぶ直線とのなす角度が略９０°となることを特徴とするものである。
【００１０】
従って、請求項１の発明によれば、開口片が存在する側に変形容易部が設けられ、その変形容易部が、パネル部の中心を通りかつ開口片の先端部とパネル部の中心とを結ぶ直線と直交する第二の直線からパネル部の中心において２５°未満の範囲に形成されていることによって、この缶蓋が取り付けられている陽圧缶体が高温雰囲気下に置かれることにより缶体の内圧が非常に高くなった場合に、開口片を区画しているスコア線から離れた位置においてバックリングを発生させることができる。その結果、バックリングがスコア線の部分には及ばないので、スコア線が破断して内容物が噴き出すことを防ぐことができる。
【００１２】
また、請求項１の発明によれば、開口片が存在する側とはパネル部の中心を挟んで反対側であって、外周溝の近傍に指掛け用凹部が形成されていることによって、缶蓋が取り付けられた陽圧缶体の内圧が非常に高くなった場合に、第一回目のバックリングをこの指掛け用凹部の端部付近を起点として発生させることができる。なお、指掛け用凹部はスコア線から離れているので、第一回目のバックリングの際に、スコア線が破断して内容物が噴き出すことをより確実に防ぐことができる。また、第一回目のバックリングが発生すると、缶体内部の容積が増加し、缶内圧が低下するが、缶体が依然として高温雰囲気下に置かれたままであると、再度缶内圧が上昇する。その際には、変形容易部で第二回目のバックリングを発生させることができる。
【００１４】
さらにまた、請求項１の発明によれば、第一回目のバックリングが発生すると、第二回目のバックリングが第一回目のバックリングが発生した位置とはパネル部の中心において略９０°をなす位置で発生する確率が高い。そこで、各変形容易部が指掛け用凹部の各端部からパネル部の中心において略９０°の位置になるように変形容易部が形成されることによって、第一回目のバックリングが指掛け用凹部の端部付近で発生した後に、第二回目のバックリングをその端部からパネル部の中心において略９０°の位置に形成された変形容易部付近においてさらに確実に発生させることができる。
【００１５】
さらにまた、請求項１の発明によれば、パネル部の径方向における外周溝の内周壁の上端とパネル部との連結部から指掛け用凹部の外縁までの長さが０．９ｍｍ以上２．５ｍｍ以下であることによって、指掛け用凹部を外周溝に近づけることができ、第一回目のバックリングを指掛け用凹部の端部付近でほぼ確実に発生させることができる。また、パネル部の径方向における指掛け用凹部の長さが長いので、容易に指掛け用凹部に指を入れて、つまみ片を引き上げ、開蓋することができる。
【００１６】
また、請求項２の発明は、請求項１の発明に加えて、前記変形容易部がエンボス加工によって形成され、缶蓋外面側に突出する凸形状に形成されていることを特徴とするものである。
【００１７】
従って、請求項２の発明によれば、変形容易部がエンボス加工によって缶蓋外面側に突出する凸形状に形成されていることによって、変形容易部ではパネル部と厚さが等しい。その結果、厚さが薄くなるコイニング加工のように、変形容易部の加工の際に厚さの調整をする必要がないと共に、変形容易部の厚さが薄くなることによって指掛け用凹部の端部付近よりも変形容易部付近の方が変形し易くなって第一回目のバックリングが変形容易部で発生することを防止することができる。また、缶蓋内面被膜の損傷を回避することができる。
【００１９】
【発明の実施の形態】
つぎにこの発明の実施例を図面を参照して説明する。図１と図２とはこの発明の一実施例を示すものであって、ここに示すイージーオープン缶蓋１の中央部には、アルミニウム合金製であり厚さ０．２６ｍｍの平板材からなる円盤状のパネル部２が形成されている。そして、そのパネル部２の外周には、図１において紙面よりも奥方向（下方向）に窪み、外周壁３ａと内周壁３ｂとに囲まれた環状の外周溝３が形成されている。さらに、その外周溝３から図１において紙面よりも手前方向（上方向）にチャックウォール１６を介してフランジ部４が延出している。なお、環状の外周溝３は、外周壁３ａの下端と連続する部分が円弧状に形成され、その曲率半径Ｒが０．３５ｍｍ以上０．６６ｍｍ以下に形成されている。なお、このフランジ部４が有底円筒状の缶胴（図示せず）の開口端部に巻き締められることによって、イージーオープン缶蓋１が缶胴に固着され、缶体が形成される。
【００２０】
また、パネル部２には、図１において紙面よりも奥方向（下方向）に窪む窪み部５が形成されている。そして、この窪み部５には、その窪み部５の周囲に沿って破断用の主スコア線６ａと非破断用の補助スコア線６ｂとから成るスコア線６が両端を隔置した状態で刻設されている。そして、このスコア線６によって囲まれる部分が開口片７を構成している。さらに、その開口片７には、図１において紙面よりも手前方向（上方向）に突出する補強凸ビード８が形成されている。
【００２１】
なお、パネル部２の中心と主スコア線６ａの最外周に位置する点とを結ぶ直線をＹ軸とし、そのＹ軸と直交すると共に、パネル部２の中心を通る直線をＸ軸とする。なお、Ｘ軸とＹ軸とは、説明の便宜上定めたものであり、イージーオープン缶蓋１に形成されている構成要素ではない。そして、Ｘ軸とＹ軸とによってイージーオープン缶蓋１を便宜的に四つの扇状部分に分割し、図１における右上の扇状部分を第一象限とし、パネル部２の中心において時計回りに、他の扇状部分をそれぞれ第二象限、第三象限、第四象限とする。
【００２２】
さらに、パネル部２の略中心部には、つまみ片９から延出する舌片部１０が、リベット１１によって、開口片７の外側であって、しかもスコア線６に隣接した位置に固定されている。また、図１において紙面よりも開口片７の手前側（上側）に位置するつまみ片９の一端部が押し下げ端１２を構成していると共に、リベット１１を挟んで押し下げ端１２とは反対側のつまみ片９の端部が持上げ端１３を構成している。
【００２３】
また、つまみ片９の持上げ端１３の外周側に位置する窪み部５の部分には、図１の紙面においてパネル部２の平面から奥方向（下方向）に約１．０ｍｍ（好ましくは０．８ｍｍ〜１．２ｍｍ）窪む指掛け用凹部１４が設けられている。この指掛け用凹部１４は略楕円形の形状を有しており、その短軸がＹ軸にほぼ一致している。また、パネル部２の径方向における外周溝３の内周壁３ｂの上端とパネル部２との連結部から指掛け用凹部１４の外縁までの長さが約１．６ｍｍ（好ましくは０．９ｍｍ〜２．５ｍｍ）となる様に、指掛け用凹部１４が形成されている。
【００２４】
さらに、Ｘ軸よりも開口片７が存在する第二象限と第三象限とのパネル部２には、外周溝３に隣接して変形容易部１５がそれぞれ一つずつ、計二つ形成されている。なお、この変形容易部１５は、エンボス加工によって図１の紙面よりも手前方向（図２における上方向）に０．３５ｍｍ（好ましくは０．２５ｍｍ〜０．４５ｍｍ）だけパネル部２の平面から突出する凸形状に形成されている。また、パネル部２の周方向におけるＸ軸とは離れた側の変形容易部１５の端部とＸ軸とのパネル部２の中心における角度θが２５°未満になるように、かつ、パネル部２の周方向におけるＸ軸とは離れた側の変形容易部１５の端部と、そのＸ軸に近い側の指掛け用凹部１４の端部とのパネル部２の中心における角度が略９０°となるように変形容易部１５が形成されている。
【００２５】
つぎに、この発明の一実施例の作用について説明する。まず、有底円筒状の缶胴（図示せず）にコーラ等の炭酸含有飲料が充填された後、イージーオープン缶蓋１のフランジ部４が缶胴の開口端部に巻き締めされることにより、イージーオープン缶蓋１が缶胴に固着され、缶体が形成される。
【００２６】
この炭酸含有飲料が封入された缶体を８０℃程度の高温雰囲気下か８０℃程度の液浴中に静置すると、缶体に封入された炭酸含有飲料から二酸化炭素が放出され、缶体内部の圧力（缶内圧）が増大する。その結果、イージーオープン缶蓋１が缶体の外部方向にバックリングしようとする。その結果、高い確率で、イージーオープン缶蓋１の指掛け用凹部１４の、パネル部２の周方向における左右どちらかの端部付近を起点にしてバックリングが発生する（第一回目のバックリング）。なお、指掛け用凹部１４の端部付近を起点にしてバックリングするのは、凹部が形成される際に生じる残留応力が存在するためであり、またエンボス加工により形成された変形容易部１５における残留応力よりも大きいためであると考えられる。
【００２７】
イージーオープン缶蓋１の指掛け用凹部１４の端部付近を起点としてバックリングするとしても、そのバックリングする指掛け用凹部１４の端部付近がスコア線６から離れているので、主スコア線６ａが破断するのを防止することができると共に缶体から炭酸含有飲料が噴き出すことを防ぐことができる。また、バックリングによって缶体の内容積が増大するので、缶体の内圧が減少し、さらなるバックリングを抑えることができる。
【００２８】
しかし、さらに続けて缶体を８０℃程度の高温雰囲気下か８０℃程度の液浴中に静置すると、再度缶体の内圧が増大し、さらにバックリングしようとする。すると、高い確率で、第一回目にバックリングした指掛け用凹部１４の端部からパネル部２の中心において略９０°離隔した変形容易部１５付近を起点としてバックリングする（第二回目のバックリング）。変形容易部１５が、それとそれに近い側の指掛け用凹部１４の端部とのパネル部２の中心における角度が略９０°になるような位置に形成されていることによって、第二回目のバックリングを変形容易部１５付近において高い確率で発生させることができる。また、変形容易部１５が、Ｘ軸からパネル部２の中心において２５°未満の位置に形成されていることによって、変形容易部１５の位置が主スコア線６ａから離れているので、第二回目のバックリングの際に主スコア線６ａが破断することを防ぎ、缶体の内容物が噴き出すことを防ぐことができる。
【００２９】
さらに継続して、缶体を８０℃程度の雰囲気下か８０℃程度の液浴中に静置したが、指掛け用凹部１４の端部もしくは変形容易部１５の全てがバックリングし、それ以上バックリングすることはなかった。
【００３０】
なお、変形容易部１５がエンボス加工によって形成されているので、コイニング加工等によって形成されている場合と比較して、変形容易部１５における厚さがパネル部２の厚さと等しい。その結果、例えばコイニング加工の様に、変形容易部１５を形成する際に厚さの調整をすることが不要になると共に、変形容易部１５の形成時に生じる残留応力が指掛け用凹部１４よりも大きくなることによって第一回目のバックリングが変形容易部１５付近で発生してしまうという事態を極力防ぐことができる。更に、エンボス加工により変形容易部１５を形成するので、厚さを薄くするコイニング加工に比べると、缶蓋１の内面皮膜を損傷させることが殆ど無いという利点がある。なお、第一回目のバックリングが変形容易部１５で発生すると、変形容易部１５が開口片７が存在する第二象限、第三象限にあるため、主スコア線６ａが破断する可能性が高くなる。
【００３１】
また、変形容易部１５が二個形成され、かつ指掛け用凹部１４がバックリングの起点位置となることによって、変形容易部１５が三個以上形成される場合と比較して、変形容易部１５を形成するための位置の調整に要する時間を短縮することができる。
【００３２】
さらに、指掛け用凹部１４の外縁が外周溝３の内周壁３ｂの上端とパネル部２との連結部から０．９ｍｍ以上２．５ｍｍ以下の長さの位置に設けられることによって、バックリングする指掛け用凹部１４の端部の位置を外周溝３に近づけることができ、第一回目のバックリングを指掛け用凹部１４の端部付近で確実に発生させることができる。また、パネル部の径方向における指掛け用凹部の長さが長いので、容易に指掛け用凹部１４に指を入れて、つまみ片９を引き上げることができる。なお、バックリングの起点の成り易さだけを考慮するならば、指掛け用凹部１４を外周溝３まで延長してもよいが、そうすると缶蓋としての耐圧性が著しく低下するので、上記連結部から０．９ｍｍ以上離すのが好ましいのである。
【００３３】
つぎに、この発明の一実施例であるイージーオープン缶蓋１の効果を実証する実験について説明する。上述した構成を有するイージーオープン缶蓋１を２０枚用意した。
【００３４】
なお、図３に示すように、缶蓋１のパネル部２の周方向における指掛け用凹部１４の端部とパネル部２の中心とを結び、さらに延長された二本の直線と、変形容易部１５とパネル部２の中心とを結び、さらに延長された二本の直線とを引く。これらの四本の直線は、Ｘ軸およびＹ軸と同様、説明の便宜上定めたものであり、イージーオープン缶蓋１に形成されている構成要素ではない。そして、パネル部２の中心で、これらの直線とＸ軸、Ｙ軸とを分割し、その分割された直線のうち、Ｘ軸で指掛け用凹部１４側の線分をＡ線とし、残りの線分を時計回りにＢ線、Ｃ線、…、Ｌ線とする。
【００３５】
また、従来例として、図４に示す厚さが０．２６ｍｍのアルミニウム合金製イージーオープン缶蓋２１を２０枚用意した。なお、ここに示すイージーオープン缶蓋２１は、図１に示すイージーオープン缶蓋１とは以下の部分の形状等が相違するものであり、他の部分は同じである。そこで、同じ部分には同じ番号を付し、その説明を省略する。ここに示すイージーオープン缶蓋２１の指掛け用凹部２２が、その外縁が外周溝３の内周壁３ｂの上端とパネル部２との連結部から３．２ｍｍとなる位置に設けられている。また、図４において紙面よりも手前方向（上方向）に突出する凸形状に形成された変形容易部２３が第一象限、第二象限、第三象限、第四象限のパネル部２のそれぞれに一つずつ、計四つ形成されている。この変形容易部２３は、コイニング加工によって凸部の厚さが０．２０ｍｍになるように形成されたものであり、パネル部２の中心においてＸ軸もしくはＹ軸より４５°だけ離隔し、かつ外周溝３の近傍に形成されている。
【００３６】
なお、イージーオープン缶蓋１の場合と同様に、パネル部２の周方向における指掛け用凹部２２の端部とパネル部２の中心とを結び、さらに延長された二本の直線と、変形容易部２３とパネル部２の中心とを結び、さらに延長された二本の直線とを引く。これらの四本の直線は、Ｘ軸とＹ軸同様、説明の便宜上定めたものであり、イージーオープン缶蓋２１に形成されている構成要素ではない。そして、パネル部２の中心で、これらの直線とＸ軸、Ｙ軸とを分割し、その分割された直線のうち、Ｘ軸で指掛け用凹部２２側の線分をＡ線とし、残りの線分を時計回りにＢ線、Ｃ線、…、Ｌ線とする。
【００３７】
つぎに、それらのイージーオープン缶蓋１，２１を同一の炭酸含有飲料が同量ずつ充填されている有底円筒状の缶胴（図示せず）の開口端部に巻き締めすることによって固着させ、缶体を形成する。そして、その炭酸含有飲料が封入された缶体を、８０℃の定温に保持した湯浴中に３０分間静置する。すると、缶体の内圧の上昇により、バックリングが発生する。そのバックリングが発生した位置を表１に示す。なお、バックリングした位置は、ほぼ図３と図４とに示すＡ線ないしＬ線上の外周溝３もしくは指掛け用凹部１４，２２、変形容易部１５，２３である。
【００３８】
【表１】
0003796057.tif 000002
なお、この表１において、割れとは、バックリングにより上方へ突出した外周溝３の頂部に亀裂が入り、その亀裂から缶体内の炭酸含有飲料の泡が出る現象であり、また、破裂とは、バックリングにより上方へ突出した外周溝３の部分の一部が破断してしまう現象である。
【００３９】
表１から明らかな様に、本発明品であるイージーオープン缶蓋１が用いられた缶体２０本のうち、１９本が指掛け用凹部１４の端部（Ｂ線上，Ｌ線上）において第一回目のバックリングが発生している。また、１本はバックリングが全く発生していない。なお、バックリングしたイージーオープン缶蓋１の外周溝３部分には何れも、割れや破裂が発生していない。それに対して、従来例であるイージーオープン缶蓋２１が用いられた缶体２０本のうち、１８本が変形容易部２３（Ｋ線上）において第一回目のバックリングが発生していると共に、１本が変形容易部２３（Ｃ線上）において第一回目のバックリングが発生し、１本が変形容易部２３（Ｉ線上）において第一回目のバックリングが発生している。そして、バックリングしたイージーオープン缶蓋２１のうち、５枚がその外方へ突出している外周溝３に割れが発生し、３枚がその外方へ突出している外周溝３に破裂が発生している。
【００４０】
バックリングした外周溝３に割れや破裂が発生すると、内容物である炭酸含有飲料が噴き出し、周囲を汚染する可能性がある。従来例のイージーオープン缶蓋２１では、割れや破裂が発生しているのに対して、本発明のイージーオープン缶蓋１では、割れや破裂が発生しないと共に、高い確率で第一回目のバックリングを指掛け用凹部１４の端部で発生させることができる。つまり、スコア線６から最も離れた位置に第一回目のバックリングを発生させることができ、スコア線６が破断したり、外周溝３に割れや破裂が発生することによって缶体の内容物の噴き出しすることを防ぐことができる。なお、本実験で用いたイージーオープン缶蓋１，２１は、何れも耐圧強度を向上させた缶蓋であったので、上記実験条件では第一回目のバックリングしか発生しなかった。しかし、もっと過酷な温度条件又は耐圧強度を下げた缶蓋を用いた場合には、第二回目のバックリングが発生する。その場合には、高い確率で第二回目のバックリングを変形容易部１５付近で発生させることができる。つまり、第二回目のバックリングもスコア線６から離れた位置で発生させることができるので、スコア線６が破断したり、外周溝３に割れや破裂が発生することによって缶体の内容物の噴き出しすることを防ぐことができる。このことは、条件を変えた実験により確認した。
【００４１】
なお、イージーオープン缶蓋１の材料としてアルミニウム合金が用いられたが、この発明はこれに限定されることはなく、缶蓋として用いることができる強度を有した材料であればよい。
【００４２】
【発明の効果】
以上説明したように、請求項１に記載した発明では、開口片が存在する側に変形容易部が設けられ、その変形容易部が、パネル部の中心を通りかつ開口片の先端部とパネル部の中心とを結ぶ直線と直交する第二の直線からパネル部の中心において２５°未満の範囲に形成されていることによって、この缶蓋が取り付けられている陽圧缶体が高温雰囲気下に置かれた場合に、開口片を区画しているスコア線から離れた位置においてバックリングを発生させることができる。その結果、スコア線が破断するのを防止できると共に缶体から内容物が噴き出すことを防ぐことができる。
【００４３】
また、請求項１に記載した発明では、開口片が存在する側とはパネル部の中心を挟んで反対側であって、外周溝の近傍に指掛け用凹部が形成されていることによって、陽圧缶体の内部圧力の上昇に起因する第一回目のバックリングをこの指掛け用凹部の端部付近において発生させることができる。なお、指掛け用凹部はスコア線から最も離れているので、第一回目のバックリングの際に、スコア線が破断すること及び内容物が噴き出すことをより確実に防ぐことができる。また、陽圧缶体が依然として高温雰囲気下に置かれ続けた場合には、第二回目のバックリングをスコア線から離れている変形容易部付近で発生させることができるので、スコア線の破断を防止することができる。
【００４４】
さらに、請求項１に記載した発明では、第一回目のバックリングが発生すると、第二回目のバックリングが第一回目のバックリングが発生した位置とはパネル部の中心において略９０°をなす位置で発生する確率が高い。そこで、各変形容易部が指掛け用凹部の各端部からパネル部の中心において略９０°の位置になるように変形容易部が形成されることによって、第一回目のバックリングが指掛け用凹部の端部付近で発生した後に、第二回目のバックリングをその端部からパネル部の中心において略９０°の位置に形成された変形容易部付近においてさらに確実に発生させることができる。
【００４５】
さらに、請求項１に記載した発明では、パネル部の径方向における外周溝の内面壁の上端とパネル部との連結部から指掛け用凹部の外縁までの長さが０．９ｍｍ以上２．５ｍｍ以下であることによって、指掛け用凹部を外周溝に近づけることができ、第一回目のバックリングを指掛け用凹部の端部付近で確実に発生させることができる。また、パネル部の径方向における指掛け用凹部の長さが長いので、容易に指掛け用凹部に指を入れて、つまみ片を引き上げ、開蓋することができる。
【００４６】
そして、請求項２に記載した発明では、変形容易部がエンボス加工によって缶蓋外面側に突出する凸形状に形成されていることによって、変形容易部ではパネル部と厚さが等しい。その結果、厚さが薄くなるコイニング加工のように、変形容易部の加工の際に厚さの調整をする必要がないと共に、変形容易部の厚さが薄くなることによって指掛け用凹部の端部付近よりも変形容易部付近の方が変形し易くなって第一回目のバックリングが変形容易部で発生することを防止することができる。
【図面の簡単な説明】
【図１】  この発明のイージーオープン缶蓋の実施例を示す平面図である。
【図２】  図１のＩＩ−ＩＩ線に沿う断面図である。
【図３】  この発明のイージーオープン缶蓋に概念的な区分け線を配した平面図である。
【図４】  従来のイージーオープン缶蓋に概念的な区分け線を配した平面図である。
【符号の説明】
１…イージーオープン缶蓋、  ２…パネル部、  ３…外周溝、  ６…スコア線、  ７…開口片、  ９…つまみ片、  １４…指掛け用凹部、  １５…変形容易部。
【図１】
0003796057.tif 000003
【図２】
0003796057.tif 000004
【図３】
0003796057.tif 000005
【図４】
0003796057.tif 000006